(57)【要約】【課題】２種類の光源を用いて、照明装置全体としての色純度を向上させる。【解決手段】蛍光管とＬＥＤとの分光特性におけるそれぞれの極大値波長λr1、λr2が近づくように、好ましくは同一になるように設定する。このように設定することにより、蛍光管によるスペクトラム成分Ｐ３とＬＥＤによるスペクトラム成分Ｐ４とのそれぞれが混色を起こしても、照明装置全体として色純度の高い照明装置を設計することができる。【選択図】図１
2007027138.tif 000002
【特許請求の範囲】
【請求項１】
並べて配置された複数本の第１光源と、
該第１光源の分光特性とは異なる分光特性を有する複数の第２光源とを有する照明装置であって、
前記第２光源を、隣り合う前記第１光源の間であって前記第１光源の延在する方向に複数配置していることを特徴とする照明装置。
【請求項２】
並べて配置された複数本の第１光源と、
該第１光源の分光特性とは異なる分光特性を有する複数の第２光源とを有する照明装置であって、
前記第１及び第２光源が導光板の端面に配置され、
前記第２光源は前記第１光源の近傍であって前記第１光源の延在する方向に配列していることを特徴とする照明装置。
【請求項３】
請求項２に記載の照明装置において、
前記第２光源は、前記第１光源の延在する方向に沿って等間隔に配列していることを特徴とする照明装置。
【請求項４】
請求項１乃至３のいずれか１項に記載の照明装置において、
前記第１光源の分光特性は、可視光波長域において少なくとも３以上の極大値波長を有し、前記第２光源の分光特性は、可視光波長域において１又は２の発光強度の極大値波長を有し、
前記第２光源の分光特性が有する１又は２の極大値波長と、前記第１光源の分光特性が有する１又は２の極大値波長とが略同一であることを特徴とする照明装置。
【請求項５】
請求項１乃至４のいずれか１項に記載の照明装置において、
第１光源は蛍光管光源であり、第２光源が発光ダイオード光源又はエレクトロルミネッセンス光源であることを特徴とする照明装置。
【請求項６】
請求項１乃至５のいずれかに記載の照明装置に加えて、該照明装置の照明光に配光特性及び輝度分布特性を持たせる光学部材を有することを特徴とするバックライト装置。
【請求項７】
請求項６に記載のバックライト装置に加えて、該バックライト装置により表示可能な非自己発光性表示パネルを有することを特徴とする表示装置。
【発明の詳細な説明】
【技術分野】
【０００１】
本発明は、照明装置、該照明装置を用いたバックライト装置、及び該バックライト装置を用いた液晶表示装置に関するものである。
【背景技術】
【０００２】
液晶表示装置の画像の色再現性を向上させるための技術として、図９に示すように、蛍光ランプユニット１１２と赤色Ｒ１１１−Ｒ、緑色Ｇ１１１−Ｇ、青色Ｂ１１１−Ｂの各色を一組とする複数のＬＥＤランプユニット１１１の２種類の光源ユニットを導光体１１５の両側面（両端面）１１５ａ、１１５ｂに配置し、混色導光手段を用いて色度調整する技術が開示されている（例えば特許文献１参照）。
【０００３】
また、特開平４−３６２９１９号公報には、図１０に示すように、分光特性の異なる複数種のカラーフィルタ、例えば赤色Ｒ、緑色Ｇ、青色Ｂに対し、各色のフィルター毎に対向配置された２枚のガラス板１００ａ、１００ｂ間に挟持された液晶層１０１の厚みｄＲ、ｄＧ、ｄＢをそれぞれ変化させ、色再現性を向上させる技術が開示されている（例えば特許文献２参照）。
【０００４】
【特許文献１】特開２００１−１３５１１８号公報
【特許文献２】特開平４−３６２９１９号公報
【発明の開示】
【発明が解決しようとする課題】
【０００５】
しかしながら、特許文献１に記載された技術では、色度補正は、Ｒ，Ｇ，ＢのＬＥＤのうち、補正したい色のＬＥＤに流す駆動電流値を他の色のＬＥＤの電流値より大きくしたり、駆動パルスのデューティを大きくして行うが、色毎または色度毎に駆動回路の複雑な制御が必要となるとともに、３色のＬＥＤの光と蛍光ランプの光との混合を効率的に行う為に、プリズムシートの断面を特殊形状（ノコ歯状）にする等、調光制御手段が複雑になるという問題がある。
【０００６】
また、特許文献２に記載された技術を用いても、色再現性の向上に関する大きな効果は得られないという問題がある。これは、光源自体の色純度に関する対策がなされていないためである。色再現性の向上のためには、まず、本質的な問題である光源の色純度を向上させる必要がある。
【０００７】
本発明は、照明装置自体の色純度を向上させることにより、該照明装置を用いたバックライト装置及びそれを用いた液晶表示装置の画面上における色再現性を改善することを目的とする。
【課題を解決するための手段】
【０００８】
本発明は、並べて配置された複数本の第１光源と、該第１光源の分光特性とは異なる分光特性を有する複数の第２光源とを有する照明装置であって、第２光源を、隣り合う前記第１光源の間であって前記第１光源の延在する方向に複数配置していることを特徴とする照明装置である。
【０００９】
上記照明装置によれば、発光特性の面内分布をできるだけ均一にしながら色純度の高い照明装置、バックライト装置あるいは液晶表示装置を提供することができる。
【００１０】
また本発明では、並べて配置された複数本の第１光源と、該第１光源の分光特性とは異なる分光特性を有する複数の第２光源とを有する照明装置であって、前記第１及び第２光源が導光板の端面に配置され、前記第２光源は前記第１光源の近傍であって前記第１光源の延在する方向に配列していることを特徴とする照明装置である。
【００１１】
更に本発明では、前記第２光源は、前記第１光源の延在する方向に沿って等間隔に配列していることを特徴とする照明装置である。
【００１２】
上記照明装置によれば、空間的スペースをあまり多く取れない導光板方式の照明装置でも、これまでの空間的スペースより広く取ることなく色純度の高い液晶表示装置の設計が可能になる。
【発明の効果】
【００１３】
本発明の照明装置によれば、２種類の光源のそれぞれの分光特性における極大値波長をそれぞれ適切に設定することによって、照明装置全体として色純度を向上し、極めて簡単な構成で色再現性を向上することが可能となる。
【発明を実施するための最良の形態】
【００１４】
照明装置用の光源における色純度を向上させるには、以下の１）及び２）の２つの要件が満たす必要がある。１）光源が、赤、青、緑の３波長を原色とする発光体であること。２)各色の分光分布が単分散であること。さらに、色再現性を向上させるためのもう一つの要件としては、それぞれ可視光領域の範囲内で、上記３波長のうち赤を長波長に青を短波長に設計することが好ましい。赤を長波長に設計すると明るさが低下してしまい、光源の発光効率が低下する問題が生じるが、赤色を忠実に再現するという観点からは必要不可欠である。
【００１５】
発明者は、発光波長の異なる複数種類の光源を用い、複数種類の光源の発光波長を考慮して適切に設計することにより、好ましい照明装置の光源を得ることができると考えた。複数種類の光源とは、例えば駆動方式の異なる２種類の光源（以下、「第一種光源（第１光源）、第二種光源（第２光源）」と称する。）を用い、以下に説明するような思想で照明装置の光源を設計することを考えた。尚、以下の説明においては、簡単のために赤の色純度を高める手法を例にして説明するが、その他の色、例えば、青又は緑の色純度を高める場合にも同様の考え方が適用できることは言うまでもない。
【００１６】
まず、光源の選択に関する考え方について説明する。第一種光源は、電力効率の高い蛍光管を用いると良い。一方、第二種光源は、ＬＥＤ（Ｌｉｇｈｔ  Ｅｍｉｔｔｉｎｇ  Ｄｉｏｄｅ）、有機ＥＬ（Ｅｌｅｃｔｒｏ−ｌｕｍｉｎｅｓｓｅｎｃｅ）等を用いると良い。第一種光源は、光の３原色を構成する赤、青、緑のうち、少なくとも青と緑とを含む２色を有する蛍光体を有している。一方、第二種光源は、赤の発光素子を有している。
【００１７】
ここで第二種光源に蛍光管を含めない理由は、電力利用効率を考慮してのことである。つまり、蛍光管を赤の補助光源として用いると、赤の蛍光体を導入した蛍光管でなければ本来の補助光源の役割を果たし得ない。しかし、赤の蛍光体を導入した蛍光管は、本来、３色の蛍光体を一緒に発光させる電力と同等の電力により赤の単色光のみを発光させることになり、電力的な意味でデメリットが大きい。第二種光源は、純度を高める対象色が１つであれば、ＬＥＤのように単色光の発光体を用いれば良く、電力的にもこの方がより合理的である。発明者は、照明装置の赤の色純度を向上させる技術として、以下の新技術を提案する。
【００１８】
１）第一種光源に少なくとも赤色を発光する光源を用いる場合、第一種光源及び第二種光源のそれぞれにおける分光特性が有する赤色の極大値波長を近づける（同程度の値にする）、或いは、２）第一種光源として赤色を発光しない（分光特性が赤色の極大値波長を有しない）光源を用いる場合は、第二種光源に赤色を発光する（分光特性が赤色の極大値波長を有する）光源を用いる。
【００１９】
１）の意図は、第一種光源及び第二種光源の分光特性が有する赤色の極大値波長を近づけることにより、赤の色純度を向上させることである。これにより、照明装置全体として赤の色純度を上げることができる。２）の意図は、赤色の極大値波長を持たない分光特性の第一種光源に、赤色の分光特性を持つ分光特性の第二種光源を加えることにより、照明装置全体として赤の色純度を向上させることである。以上の考え方に関して、以下に図面を参照してより具体的に説明する。
【００２０】
図１は、上記１）の場合におけるバックライト全体の分光分布（発光強度の波長依存性）例を示す図である。図１に示すように、バックライト全体の分光分布特性は、可視光波長域において、主として青色の極大値波長λｂと緑色の極大値波長λｇと赤色の極大値波長λｒとを有している。ここで、赤色の波長に関して、蛍光管による赤色スペクトラム特性(実線)Ｐ３とＬＥＤによる赤色スペクトラム特性(破線)Ｐ４とのそれぞれの極大値波長λr1、λr2が近づくように、好ましくは同じになるように設定する。このように、両極大値波長を略同一に設定することにより、蛍光管による赤色スペクトラム(実線)Ｐ３とＬＥＤによる赤色スペクトラム(破線)とがが混色を起こしても、照明装置全体として色純度の高い照明装置を設計することができる。
【００２１】
ここで、蛍光管とＬＥＤとはその材料の違い等により、必ずしも両光源の分光特性における赤色の極大値波長を一致させることができない可能性があるが、そのような場合でも、以下の考え方に基づいて照明装置を設計することで、所望の作用効果を期待することができる。すなわち、図２に示すように、蛍光管による赤色スペクトラム特性(実線)Ｐ５の半値幅（極大値の１／２の発光強度を対応する波長幅＝領域Ａで示される）と、ＬＥＤによる赤色スペクトラム特性(破線)Ｐ６の半値幅（極大値の１／２の発光強度を対応する波長幅＝領域Ｂで示される）とが、互いに重なり合うように、蛍光管とＬＥＤとのそれぞれの分光特性が有する極大値波長を設定する。
【００２２】
以上のように、両光源における分光特性が有する赤色の極大値波長を、各光源の赤色スペクトラム特性の半値幅が互いに重なるように調整することにより、照明装置全体で赤色スペクトラム特性（太実線）Ｐ７の色純度の低下を抑制することができる。従って、本発明の照明装置においては、上述のとおり各光源の赤色スペクトラム特性の半値幅が互いに重なり合う範囲で、両光源における分光特性が有する赤色の極大値波長を「略同一」にすれば良い。
【００２３】
尚、上記「極大値波長」の定義としては、いわゆるピーク波長で定義しても良いし、或いは、人の目の赤に対する比視感度を考慮したドミナント波長と定義しても良い。
【００２４】
上記２）に関しては、第一種光源の蛍光管から赤の蛍光体を排除して、図３に示すように、青色スペクトラム特性Ｐ１、緑色スペクトラム特性Ｐ２のみを持つ（赤色の極大値波長を持たない）分光特性の蛍光管を用いている。その代わりに、第二種光源として赤色スペクトラム特性Ｐ８（赤色スペクトラム特性Ｐ４（図１）、Ｐ６（図２）と同様で良い）を持つ（赤色の極大値波長λｒ2を持つ）分光特性のＬＥＤを用いる。
【００２５】
第一種光源において赤色の発光を排除すると、蛍光管の赤色蛍光体により付随的に発光する黄色〜橙色に相当する波長領域にかけての不要な発光を除外することができる。そして、蛍光管の赤色蛍光体を排除した代わりに、第二種光源により赤色を発光させることによって、照明装置における赤の色純度が向上する。
【００２６】
より詳細には、図３に示すように、照明装置における分光分布は、蛍光管による発光スペクトラム成分とＬＥＤによる発光スペクトラム成分との混色で形成されるとともに、蛍光管の赤色発光体に起因する黄色から橙色の波長領域における不要な発光を無くすことにより、照明装置全体として赤の色純度を上げることが可能となる。尚、光源の使用個数は、所望の明るさを得るためにも、第二種光源は勿論のこと、第一種光源も一個に限定せず複数個用いても良いことは言うまでもない。
【００２７】
次に、各光源の駆動回路について説明する。駆動回路は、第一種光源用と第二種光源用とをそれぞれ独立に設けるのが好ましい。各種光源の使用個数毎に割り当てることも出来る。図４（Ａ）は、蛍光管駆動回路の回路図の一例を示す図である。図４（Ｂ）は、ＬＥＤの点灯回路の一例を示す回路図である。第一種光源が蛍光管の場合には、自励式或いは他励式のインバータ回路などを用いることができる。図４（Ａ）に示すように、第一種光源である蛍光管１に対して高い交流電圧(数百〜数千Ｖ程度)を印加するために変圧器３Ａを用い、変圧器３Ａにより数十Ｖ程度の直流の入力電圧を数千Ｖ程度の交流電圧に変換して蛍光管を点灯させる。
【００２８】
第二種光源がＬＥＤ２の場合には、通常のＬＥＤ点灯回路(定電流回路)等を用いることができる。図４（Ｂ）に示すように、ＬＥＤ点灯回路は、ＬＥＤ素子毎に抵抗３Ｂを直列接続した構成を有するのが一般的である。抵抗３ＢをＬＥＤ２に直列に接続しているのは、直接、ＬＥＤ２にバッテリなどの電源電圧Ｖｉｎ（ＤＣ）(ＤＣ電圧は５Ｖ以上)を加えると、ＬＥＤ２に過大な電流が流れ、ＬＥＤ２が破壊するためである。そこで，ＬＥＤ２と電源ＶｉｎＤＣとの間に抵抗３Ｂを入れることにより電流を流れにくくし、ＬＥＤ２の破壊を防止している。尚、図４（Ｂ）に示す回路において用いる抵抗３Ｂの抵抗値は、ＬＥＤ２に流す設計電流値と抵抗３Ｂの各種定格値などに基づいて設定する。
【００２９】
図４（Ａ）と図４（Ｂ）とのそれぞれの回路の入力電圧ラインは、個別に設けている。各種光源に要求される入力電圧が定格上それぞれで異なるため、両者の電圧を共通化するのは難しいが、電源を共通化し、レギュレータなどを用いてＬＥＤ駆動回路への供給電圧を減圧することは可能である。蛍光管の長さにも依存するが、蛍光管用のインバータ回路は、８Ｖから数１０Ｖ程度の入力電圧に設定し、ＬＥＤ用の点灯回路はＬＥＤの定格により規定される最大でも５Ｖ程度までの値に設定する。
【００３０】
調光制御手段は、これらの駆動回路を制御するために用い、第一種光源と第二種光源とのうち少なくとも一方の明るさを調整することができるようにする。この調光制御手段としては、電圧（電流）調光方式と、明るさが時分割されるデューティー調光方式とのいずれを用いても良い。尚、動画表示に適した高速応答に対応できる照明装置が必要な場合には、後者のデューティー調光方式を用いるのが好ましい。
【００３１】
次に、本発明の一実施の形態による照明装置について図面を参照して説明する。
図５は、電圧（電流）調光方式による照明装置の構成例を示すブロック図である。図５に示すように、照明装置Ａは、蛍光管１と、ＬＥＤ２と、インバータ回路３と、ＬＥＤ点灯回路４と、調光制御手段５と、電源回路６とを主な構成要素とする。このように構成してなる電圧（電流）調光方式の照明装置においては、調光制御手段５において電源回路６からの入力電圧、または入力電流をＤＣ−ＤＣコンバータ等で変化させて、その駆動電圧（電流）の大きさで直接インバータ回路３及びＬＥＤ点灯回路４の負荷として接続された蛍光管１およびＬＥＤ２の電流を変化させて調光する。
【００３２】
図６は、デューティー調光方式による照明装置の構成例を示すブロック図である。図６に示すように、照明装置Ｂは、蛍光管１１と、ＬＥＤ１２と、インバータ回路１３と、ＬＥＤ点灯回路１４と、調光制御手段１５と、電源回路１６とを主な構成要素とする。このように構成してなるデューティー調光方式の照明装置においては、調光制御手段１５でインバータ回路１３とＬＥＤ点灯回路１４を駆動する２種類の調光パルス（ＰＷＭ信号）を作成し、それぞれのＰＷＭ比設定データに応じたデューティー比となるようにパルス幅を可変することで、蛍光管１１とＬＥＤ１２の明るさを調光する。
【００３３】
図５又は図６に示す照明装置Ａ又はＢを、例えば液晶表示装置用のバックライト装置として用いる場合は、照明装置Ａ又はＢに加え、該照明装置Ａ又はＢの照明光に配光特性及び輝度分布特性を持たせる光学部材として、反射シート或いは反射板と、拡散板或いは導光板と、拡散シートと、プリズムシートと、反射偏光板と、を含む光学部材を、適宜筐体に対して配置する。さらに、液晶表示装置として用いる場合には、バックライト装置に対して画像を表示するための液晶パネルを配置する。
【００３４】
本実施の形態によるバックライト装置の実施例を、図７及び図８を参照して説明する。
第１実施例について図７を参照して説明する。図７（Ａ），（Ｂ）は、本実施例による液晶表示装置の構成例を示す正面図と側面図である。図７（Ａ），（Ｂ）に示すように、本実施例による液晶表示装置Ｃは、蛍光管３１と、ＬＥＤ３２と、インバータ回路３３と、ＬＥＤ点灯回路３４と、調光制御手段３５と、電源回路部３６と、各種光学部材３７と、筐体３８と、液晶パネル３９とを含んで構成されている。尚、符号３３から符号３６までにより示される各種電気回路部品に関しては、照明装置の背面にまとめて配置する構成をとっているが、特にその詳細な位置関係については限定されない。
但し、電源回路部３６は、液晶表示装置Ｃの筐体３８内に内蔵させても良い。
【００３５】
本実施例では、蛍光管３１とＬＥＤ３２とを、それぞれ複数使用することができる。インバータ回路３３と、ＬＥＤ点灯回路３４と、調光制御手段３５とともに、光源の員数に合わせて設けても良い。各種光学部材３７に関しては、主に反射シートあるいは反射板３７Ａと、拡散板３７Ｃと、拡散シート３７Ｄと、プリズムシート３７Ｅと、反射偏光シート３７Ｆとを含んで構成される。バックライトの方式は、いわゆる直下型バックライト方式である。
【００３６】
本実施例では、ＬＥＤ３２を、隣り合う蛍光管３１の間であって蛍光管３１の延在する方向に複数配置しているが、バックライト全体の分光分布は、蛍光管３１とＬＥＤ３２との位置関係によっては大きな影響を受けないため、配置方法は上記の方法に限定されるものではない。但し、発光特性の面内分布をできるだけ均一にするためには、蛍光管３１とＬＥＤ３２とのそれぞれの配列を、可能な限り均等に配置するのが好ましい。図７に示すような簡単な配置により色純度の高い液晶表示装置の設計が可能となる。
【００３７】
次に、実施例２について図８を参照して説明する。図８は、バックライト方式として導光板方式（エッジライト式あるいはサイドライト式とも称される）によるバックライト装置の構成を示す図である。図８に示すように、本実施例によるバックライト装置Ｄは、蛍光管５１と、ＬＥＤ５２と、インバータ回路、ＬＥＤ点灯回路、調光制御手段、電源回路部（それぞれ図示せず）、各種光学部材５７、筐体５８とを含んで構成されている。また、各種光学部材５７に関しては、主に反射シート或いは反射板５７Ａと、導光板５７Ｂと、拡散シート５７Ｄと、プリズムシート５７Ｅと、反射偏光シート５７Ｆとを含んで構成される。
【００３８】
液晶パネルについては図示を省略しているが、例えば反射偏光シート５７Ｆよりも表面側に搭載する。各種部材の員数等は実施例１の場合と同様で良い。蛍光管５１とＬＥＤ５２とを含む光源が、導光板５７Ｂの端面に配置され、光源から導光板５７Ｂに導入された光が導光板５７Ｂの表面方向（図では上方向）へ向けて進む。本実施例による照明装置は、ＬＥＤ５２を蛍光管５１の近傍であって蛍光管５１の延在する方向に沿って等間隔に配列している。
【００３９】
但し、バックライト全体の分光分布は、蛍光管５１とＬＥＤ５２との配置方法により大きく異なることはないので、ＬＥＤ５２の配置に関しては、様々な観点から最適と思われる位置に配置できる。また、導光板方式では、直下式と比べて空間的スペースがあまり多く取れないので、蛍光管５１や導光板５７Ｂが配置されていない位置に搭載するか、図のように蛍光管５１に沿ってその近傍に（平行に）配列する方法などが好ましい。
【００４０】
以上説明したように、本実施の形態による照明装置を用いると、蛍光管の近傍に色再現性を強調したい色を発光するＬＥＤを設け、その発光極大値波長を適切に設定して、所定の電流値で駆動するという非常に簡単な構成で、バックライト装置における色純度を高めることができる。さらに、赤の発光色のピーク波長あるいはドミナント波長を、より長波長側に設計することにより、色再現性を効果的に向上させることが可能となる。
【００４１】
すなわち、本実施の形態による照明装置においては、上述した従来の技術のように、Ｒ，Ｇ，ＢそれぞれのＬＥＤランプの発光光量を複雑に制御することなく、また、液晶パネル自体の液晶層の厚みを変化させたり、カラーフィルターや反射シートあるいは調光制御手段を特別な構成とすることなく、非常に簡単な構成にて色再現性を向上することができる。
【００４２】
尚、上記実施例では、赤色の色純度を向上させるものについて説明したが、青色、緑色に関しても同様に色度図上において所望の色再現性を得ることができるのは言うまでもない。或いは、原色系の代わりに補色系の分光特性を有する光源を用いても良い。３色以外の波長域に関しても同様に適用することができる。
【００４３】
以上、本実施の形態に沿って説明したが、本発明はこれらの例に限定されるものではなく、種々の変形が可能であるのは言うまでもない。本実施の形態による照明装置は、液晶テレビ、デジタルスチルカメラやデジタルビデオカメラの液晶モニタ、液晶表示装置を備えたノート型パーソナルコンピュータや携帯電話などを含む各種電子機器に応用可能である。
【図面の簡単な説明】
【００４４】
【図１】本発明の一実施の形態による照明装置の分光分布の第１例を示す図である。
【図２】本発明の一実施の形態による照明装置の分光分布の第２例を示す図である。
【図３】本発明の一実施の形態による照明装置の分光分布の第３例を示す図である。
【図４】本発明の一実施の形態による照明装置における各種光源の点灯回路の一例であり、図４（Ａ）は蛍光管、図４（Ｂ）はＬＥＤの点灯回路の一例である。
【図５】本発明の一実施の形態における電圧調光方式による照明装置の構成例を示す機能ブロック図である。
【図６】本発明の一実施の形態におけるデューティー調光方式による照明装置の構成例を示す機能ブロック図である。
【図７】本発明の一実施の形態の第１実施例によるバックライト装置（バックライト方式）を用いた液晶表示装置の正面図と側面図である。
【図８】本発明の一実施の形態の第２実施例によるバックライト装置（導光板方式）を用いた液晶表示装置の正面図と側面図である。
【図９】色再現性を向上させる従来技術の一例を示す図である。
【図１０】色再現性を向上させる従来技術の一例を示す図である。
【符号の説明】
【００４５】
１：蛍光管、２：ＬＥＤ、３：インバータ回路、４：ＬＥＤ点灯回路、５：調光制御手段、６：電源装置、３７：各種光学部材、３７Ａ：反射シートあるいは反射板、５７Ｂ：導光板、３７Ｃ：拡散板、３７Ｄ：拡散シート、３７Ｅ：プリズムシート、３７Ｆ：反射偏光シート、３８：筐体、３９：液晶パネル。
【図１】
2007027138.tif 000003
【図２】
2007027138.tif 000004
【図３】
2007027138.tif 000005
【図４】
2007027138.tif 000006
【図５】
2007027138.tif 000007
【図６】
2007027138.tif 000008
【図７】
2007027138.tif 000009
【図８】
2007027138.tif 000010
【図９】
2007027138.tif 000011
【図１０】
2007027138.tif 000012